(57)【要約】【課題】見守り対象者が外出している場合でも、見守り対象者の安否確認を実現可能なシステム、プログラム及び通知装置を提供すること。【解決手段】本発明によれば、通知装置及び情報処理装置を備えるシステムであって、前記通知装置は、ボタン及び通信チップを備え、前記通信チップは、前記ボタンの押下に応じて外部に信号を送信可能に構成され、前記情報処理装置は、通信部及び位置情報取得部を備え、前記通信部は、前記信号を受信可能に構成され、前記位置情報取得部は、前記信号に基づいて、前記通知装置の位置情報を取得可能に構成される、システムが提供される。【選択図】図１
2019204429.tif 000002
【特許請求の範囲】
【請求項１】
通知装置及び情報処理装置を備えるシステムであって、
前記通知装置は、ボタン及び通信チップを備え、
前記通信チップは、前記ボタンの押下に応じて外部に信号を送信可能に構成され、
前記情報処理装置は、通信部及び位置情報取得部を備え、
前記通信部は、前記信号を受信可能に構成され、
前記位置情報取得部は、前記信号に基づいて、前記通知装置の位置情報を取得可能に構成される、
システム。
【請求項２】
前記通信チップは、前記ボタンに対する１クリックに応じて外部に信号を送信可能に構成される、
請求項１に記載のシステム。
【請求項３】
前記位置情報取得部は、前記信号を受信した基地局に基づく位置情報、ＧＰＳに基づく位置情報、Ｗｉ−Ｆｉに基づく位置情報のいずれかに基づいて、前記通知装置の位置情報を取得可能に構成される、
請求項１又は請求項２に記載のシステム。
【請求項４】
前記通信チップは、ＮＢ−ＩｏＴ、ＳＩＧＦＯＸ、ＬｏＲａＷＡＮ、ｅＭＴＣ、３Ｇ／４Ｇ／５Ｇ通信方式のいずれかに対応する、
請求項１〜請求項３の何れか１つに記載のシステム。
【請求項５】
前記通信チップは、周波数帯が７００ＭＨｚ〜４ＧＨｚに対応する、
請求項１〜請求項４の何れか１つに記載のシステム。
【請求項６】
前記情報処理装置は、記憶部を備え、
前記記憶部は、前記通知装置のユーザーに関するユーザーデータを記憶し、
前記ユーザーデータは、前記ユーザーと、前記ボタンの押下に応じて実行されるサービスの種類と、を対応付けたデータである、
請求項１〜請求項５の何れか１つに記載のシステム。
【請求項７】
前記記憶部は、前記ユーザー毎に、前記サービスにより実行される動作と、前記動作が実行されるための条件と、を対応付けて記憶する、
請求項６に記載のシステム。
【請求項８】
前記情報処理装置は、制御部を備え、
前記制御部は、所定時間内に前記通信部が受信した信号の回数に応じて、前記動作を切り替え可能に構成される、
請求項７に記載のシステム。
【請求項９】
前記情報処理装置は、制御部及び生体データ取得部を備え、
前記生体データ取得部は、前記通知装置のユーザーの生体データを取得可能に構成され、
前記制御部は、前記生体データに応じて、前記動作を切り替え可能に構成される、
請求項７又は請求項８に記載のシステム。
【請求項１０】
前記情報処理装置は、制御部を備え、
前記制御部は、前記通信部が前記信号を受信した場合において、前記通知装置の位置情報が予め定められた領域外を示すときは、予め定められたコールセンター又は予め定められた端末に対して通知するための通知信号を生成可能に構成される、
請求項１〜請求項９の何れか１つに記載のシステム。
【請求項１１】
前記情報処理装置は、制御部を備え、
前記記憶部は、前記ユーザー毎に、前記サービスにより実行される動作と、前記動作が実行されるための条件と、を対応付けて記憶し、
前記制御部は、前記条件に応じて、前記情報処理装置と通信可能に構成されたスマートデバイスに対し、前記スマートデバイスの作動モードを切り替える切替信号を送信可能に構成される、
請求項１〜請求項１０の何れか１つに記載のシステム。
【請求項１２】
前記情報処理装置は、制御部を備え、
前記記憶部は、前記ユーザー毎に、前記サービスにより実行される動作と、前記動作が実行されるための条件と、を対応付けて記憶し、
前記制御部は、前記条件に応じて、前記情報処理装置と通信可能に構成されたサーバに対し、予め定められた商品を購入するための購入信号を送信可能に構成される、
請求項１〜請求項１１の何れか１つに記載のシステム。
【請求項１３】
コンピュータを、通信部及び位置情報取得部として機能させるプログラムであって、
前記通信部は、通知装置に設けられたボタンの押下に応じて外部に送信された信号を受信可能に構成され、
前記位置情報取得部は、前記信号に基づいて、前記通知装置の位置情報を取得可能に構成される、
プログラム。
【請求項１４】
通知装置であって、
ボタン及び通信チップを備え、
前記通信チップは、前記ボタンの押下に応じて外部に信号を送信可能に構成され、
前記信号は、前記通信チップの位置情報を含む、
通知装置。
【発明の詳細な説明】
【技術分野】
【０００１】
本発明は、システム、プログラム及び通知装置に関する。
【０００２】
ＩＴ技術を利用した見守りシステムが提案されている。
【０００３】
特許文献１には、見守り対象者に監視されているというストレスを与えることなく、見守り対象者が連絡できない場合でも異常を検知する見守りシステムが開示されている。
【先行技術文献】
【特許文献】
【０００４】
【特許文献１】特開２０１６−１８１２２４号公報
【発明の概要】
【発明が解決しようとする課題】
【０００５】
ところが、従来のシステムでは、見守り対象者が一人で外出したときに、見守り対象者が行方不明になる危険性については考慮されていない。
【０００６】
本発明は、かかる事情を鑑みてなされたものであり、見守り対象者が外出している場合でも、見守り対象者の安否確認を実現可能なシステム、プログラム及び通知装置を提供することを目的とする。
【課題を解決するための手段】
【０００７】
以下、本発明の種々の実施形態を例示する。以下に示す実施形態は互いに組み合わせ可能である。
【０００８】
本発明によれば、通知装置及び情報処理装置を備えるシステムであって、前記通知装置は、ボタン及び通信チップを備え、前記通信チップは、前記ボタンの押下に応じて外部に信号を送信可能に構成され、前記情報処理装置は、通信部及び位置情報取得部を備え、前記通信部は、前記信号を受信可能に構成され、前記位置情報取得部は、前記信号に基づいて、前記通知装置の位置情報を取得可能に構成される、システムが提供される。
【０００９】
本発明によれば、通知装置のボタンが押下されると、通知装置の通信チップにより、基地局等の外部に信号を送信する。そして、情報処理装置により、信号に基づいて、通知装置の位置情報を取得する。これにより、通知装置を携帯する人物の位置情報を特定することができ、ユーザーが外出中でもユーザーの安否を確認することが可能になる。
【図面の簡単な説明】
【００１０】
【図１】本発明の一実施形態に係るシステム１００の構成を示す模式図である。
【図２】通知装置１の機能ブロックを含めた模式図である。
【図３】情報処理装置２の機能ブロック図である。
【図４】記憶部２６に記憶されたユーザーデータの一例を示す図である。
【図５】システム１００が実行する処理を表すフローチャートである。
【図６】ユーザーのスケジュールを表すスケジュールデータの一例である。
【発明を実施するための形態】
【００１１】
以下、図面を用いて本発明の実施形態について説明する。以下に示す実施形態中で示した各種特徴事項は、互いに組み合わせ可能である。
【００１２】
１．システム１００の構成
本発明の一実施形態に係るシステム１００について、図１を用いて説明する。図１に示すように、システム１００は、通知装置１及び情報処理装置２を備える。また、システム１００は、基地局３を備える。好ましくは、システム１００はさらに、サーバ４を備える。
【００１３】
１．１  通知装置１
通知装置１は、見守り対象者等のユーザーが携帯する端末である。図２に示すように、通知装置１は、ボタン１１及び通信チップ１２を備える。ボタン１１は、ユーザーにより押下される部分である。通信チップ１２は、ボタン１１の押下に応じて外部に信号を送信可能に構成される。ここで、通信チップ１２は、ボタン１１に対する１クリックに応じて外部に信号を送信可能に構成されるようにしてもよい。なお、ボタン１１の押下とは、ボタン１１に対する１クリックに限定されず、ボタン１１に対する２クリック等を含むものとする。
【００１４】
通信チップ１２は、ＮＢ−ＩｏＴ、ＳＩＧＦＯＸ、ＬｏＲａＷＡＮ、ｅＭＴＣ、３Ｇ／４Ｇ／５Ｇ通信方式のいずれかに対応するチップである。また、通信チップ１２は、周波数帯が７００ＭＨｚ〜４ＧＨｚに対応することが好ましい。これにより、通信チップ１２は、ボタン１１の押下に応じて、基地局３等の外部に信号を送信することができる。また、通信チップ１２にＷｉ−Ｆｉ接続機能を実装してもよい。
【００１５】
また、本実施形態では、通知装置１は、位置情報取得チップ１３、生体データ取得部１４、制御部１５、ライト１６、孔１７及び取付部１８を備える。
【００１６】
位置情報取得チップ１３は、通知装置１の位置情報を取得するものであり、例えばＧＰＳに対応するチップを用いることができる。このとき、位置情報取得チップ１３により取得された、通知装置１の位置情報を含む信号が通信チップ１２から送信される。
【００１７】
生体データ取得部１４は、通知装置１の携帯ユーザーの生体データを取得可能に構成される。ここで、生体データとは、血圧、脈拍、心拍数等を表すデータである。生体データの取得は、任意の方法で実現できる。例えば、ユーザーが通知装置１を腕に取り付ける場合には、通知装置１と腕の接触面に設けたセンサーにより、ユーザーの生体データを取得することができる。また、他のウェアラブルデバイスを装着し、かかるウェアラブルデバイスが取得した生体データを生体データ取得部１４が受信することにより、ユーザーの生体データを取得してもよい。この場合、ウェアラブルデバイスと通知装置１がペアリングされることが好ましい。
【００１８】
制御部１５は、ＣＰＵ等により構成され、記憶部（不図示）に記憶されたプログラムに従い、通知装置１の各要素を制御する。
【００１９】
ライト１６は、通信チップ１２を駆動する電源（例：電池）の寿命が少なくなったとき、光を出力することにより、通信チップ１２の電源交換の時期をユーザーに知らせるものである。ライト１６は、例えばＬＥＤにより構成することができる。また、通信チップ１２の電源の寿命に応じて、光の色、点滅のタイミング等を使い分けるように構成してもよい。また、ライト１６に代えて、音を出力するようにしてもよい。さらに、ライト１６と音を組み合わせることもできる。
【００２０】
孔１７は、通知装置１の一部に設けられており、ストラップ等を挿通するものである。取付部１８は、通知装置１の一部に設けられており、ストラップ等を取り付けるものである。孔１７又は取付部１８にストラップ等を装着することにより、ユーザーが通知装置１を首に掛けることが可能になる。なお、孔１７及び取付部１８は必須ではなく、いずれか一方のみを設けてもよく、いずれも設けない構成としてもよい。
【００２１】
１．２  情報処理装置２
次に、図３を用いて、情報処理装置２について説明する。情報処理装置２は、例えばサーバにより構成される。情報処理装置２は、通信部２１及び位置情報取得部２２を備える。通信部２１は、通知装置１から送信された信号を受信可能に構成される。ここで、通信部２１が受信する信号は、通知装置１から直接受信することに限定されない。例えば、「通知装置１＞基地局３＞情報処理装置２」の流れで信号を受信してもよく、「通知装置１＞基地局３＞サーバ４（後述）＞情報処理装置２」の流れで信号を受信してもよい。
【００２２】
位置情報取得部２２は、通知装置１が送信した信号に基づいて、通知装置１の位置情報を取得可能に構成される。かかる位置情報の取得手法については後述する。
【００２３】
また、本実施形態では、制御部２３、データ生成部２４、データ更新部２５及び記憶部２６を備える。制御部２３は、主にデータ生成部２４及びデータ更新部２５を制御するものであり、記憶部２６に記憶されたプログラムに従い、情報処理装置２の各要素を制御する。
【００２４】
データ生成部２４は、通知装置１のユーザーに関するユーザーデータを生成するものである。データ更新部２５は、データ生成部２４により生成されたユーザーデータを更新するものである。記憶部２６は、種々のプログラムに加え、データ生成部２４により生成された、通知装置１のユーザーに関するユーザーデータを記憶するものである。ここで、ユーザーデータは、ユーザーと、ボタン１１の押下に応じて実行されるサービスの種類と、を対応付けたデータである。本実施形態では、記憶部２６は、ユーザー毎に、サービスにより実行される動作と、動作が実行されるための条件と、を対応付けて記憶する。ユーザーデータについては図４を用いて後述する。
【００２５】
１．３  その他のデバイス
図１に示すように、情報処理装置２は、ユーザー端末５、スマートデバイス６、提携病院７、コールセンター８及び購入サーバ９と通信可能に構成される。ユーザー端末５は、例えばスマートフォンやタブレット端末等の多機能情報端末である。本実施形態では、ユーザー端末５は、通知装置１を携帯する人物の家族、親戚、友人等により所持されるものである。スマートデバイス６は、通信機能を備える家電又はセキュリティシステムである。提携病院７は、システム１００の提供者と提携している病院である。なお、図中では提携病院７としているが、実際には提携病院７に設置されたＰＣ、サーバ等と情報処理装置２が通信可能に構成される。コールセンター８は、通知装置１の携帯ユーザーの有事の際に、ユーザー端末５又は提携病院７に電話をかける組織である。なお、図中ではコールセンター８としているが、実際にはコールセンター８に設置されたＰＣ、サーバ等と情報処理装置２が通信可能に構成される。購入サーバ９は、ＥＣサイトを運営する事業者が運営するサーバである。
【００２６】
基地局３は、携帯電話の基地局である。ここで、基地局３は各地に複数設けられ、５０ｍ以内に１つの基地局３が設置されていることが好ましい。そして、通知装置１の通信チップ１２から送信された信号を受信可能に構成される。また、基地局３は、通知装置１から受信した信号をサーバ４又は情報処理装置２に送信可能に構成される。サーバ４は、基地局３を運営する事業者が運営するサーバである。そして、サーバ４は、基地局３から信号を受信可能に構成される。また、サーバ４は、基地局３から受信した信号を解析し、通知装置１がどの基地局３のエリア内にいるのかを特定することで、通知装置１の位置情報を取得することができる。
【００２７】
上記の各構成要素は、ソフトウェアによって実現してもよく、ハードウェアによって実現してもよい。ソフトウェアによって実現する場合、ＣＰＵがプログラムを実行することによって各種機能を実現することができる。プログラムは、内蔵の記憶部に格納してもよく、コンピュータ読み取り可能な非一時的な記録媒体に格納してもよい。また、外部の記憶部に格納されたプログラムを読み出し、いわゆるクラウドコンピューティングにより実現してもよい。ハードウェアによって実現する場合、ＡＳＩＣ、ＦＰＧＡ、又はＤＲＰなどの種々の回路によって実現することができる。本実施形態においては、様々な情報やこれを包含する概念を取り扱うが、これらは、０又は１で構成される２進数のビット集合体として信号値の高低によって表され、上記のソフトウェア又はハードウェアの態様によって通信や演算が実行され得るものである。
【００２８】
１．４  ユーザーデータ
図４に示すように、本実施形態では、ユーザーデータは、ユーザーＩＤで識別されるユーザー毎に、ユーザーと、ボタン１１の押下に応じて実行されるサービス（設定サービス）の種類と、を対応付けたデータである。設定サービスは、ボタン１１の押下に応じて情報処理装置２が実行する種々のサービスであり、「Ｃａｌｌ，Ｗａｔｃｈｉｎｇ，Ｐｕｒｃｈａｓｅ，Ｈｏｍｅ」等が挙げられる。各種サービスの詳細については後述する。
【００２９】
また、本実施形態では、ユーザーデータは、ユーザー毎に、設定サービスにより実行される動作（すなわち、設定サービスの実体）と、動作が実行されるための条件と、を対応付けたデータである。換言すると、記憶部２６は、ユーザー毎に、サービスにより実行される動作と、動作が実行されるための条件と、を対応付けて記憶する。かかる条件は１又は複数登録することができる。図４の例では、条件１及びそれに対応する動作１と、条件２及びそれに対応する動作２を記憶する。なお、これらの条件は、所定時間内におけるボタン１１の押下回数、生体データの内容、通知装置１の位置情報、所定時間内におけるボタン１１の押下の有無等、種々のパラメータを用いることができる。また、これらの動作は、予め設定された端末への通知、スマートデバイス６の制御モードの切り替え、購入サーバ９からの製品の購入等、種々の内容を設定することができる。ここで、端末への通知は、電話、ビデオ通話、メール等、種々の情報伝達手段により実現される。なお、設定サービス、動作及び条件は、データ更新部２５により更新することができる。
【００３０】
２．システム１００の処理
次に、図５を用いて、システム１００の処理について説明する。
【００３１】
まず、Ｓ１において、通知装置１の携帯ユーザーがボタン１１を押下する。ここで、本実施形態では、図４に示すように、所定時間内におけるボタン１１の押下回数が１回又は２回により、異なるサービスが提供される。
【００３２】
次に、Ｓ２において、通知装置１から信号が外部に送信される。ここで、通知装置１から送信された信号は、種々のルートで情報処理装置２に伝達される。以下、３つのルート毎に、Ｓ３における処理を説明する。
【００３３】
（１）通知装置１＞基地局３＞サーバ４＞情報処理装置２
通知装置１のボタン１１が押下されると、通知装置１の通信チップ１２から、信号が基地局３に送信される。基地局３は、受信した信号をサーバ４に転送するか、受信した信号に対応する信号をサーバ４に送信する。そして、Ｓ３において、サーバ４が信号を解析し、通知装置１がどの基地局３のエリア内にいるかが特定される。その後、サーバ４が通知装置１の位置情報を情報処理装置２に送信する。
【００３４】
（２）通知装置１＞基地局３＞情報処理装置２
基地局３と情報処理装置２が通信可能な場合、上記（１）におけるサーバ４の処理を、情報処理装置２が実行する。
【００３５】
（３）通知装置１＞情報処理装置２
通知装置１と情報処理装置２が通信可能な場合、基地局３を介さず、通知装置１が情報処理装置２に信号を送信する。これは、知装置１がＧＰＳに対応した位置情報取得チップ１３を備える場合であり、ＧＰＳを用いて特定された位置情報を情報処理装置２に送信する。さらに、通知装置１がＷｉ−Ｆｉに対応する場合、Ｗｉ−Ｆｉのアクセスポイントと通知装置１の通信に基づき、通知装置１がどのアクセスポイントのエリア内にいるかを特定することができる。
【００３６】
つまり、本実施形態では、情報処理装置２の位置情報取得部２２は、信号を受信した基地局３に基づく位置情報、ＧＰＳに基づく位置情報、Ｗｉ−Ｆｉに基づく位置情報のいずれかに基づいて、通知装置１の位置情報を取得可能に構成される。
【００３７】
次に、Ｓ４において、情報処理装置２の制御部２３は、通知装置１から送信された信号が、図４に示される第１条件を満たすか否かを判定する。かかる判定は、例えば所定時間以内における通知装置１からの信号又はそれに対応する信号の受信回数によりなされる。
【００３８】
そして、第１条件を満たす場合、Ｓ５ａにおいて、第１動作を実行し、処理を完了する。一方、第１条件を満たさない場合、Ｓ５ｂにおいて、第２動作を実行し、処理を完了する。
【００３９】
３．サービスの具体例
以下、図１及び図４〜図６を用いて、提供サービスの具体例について説明する。
【００４０】
（１）Ｃａｌｌ_１
この例では、制御部２３は、所定時間内に通信部２１が受信した信号の回数に応じて、動作を切り替え可能に構成される。図４のユーザーＩＤ０００１の例では、図５のＳ４において、ボタン１１が所定時間内に１回押された場合（条件１）、情報処理装置２は、通知信号を送信することにより、予め設定された家族が所持するユーザー端末５に電話する（動作１）。この電話は、例えば情報処理装置２がＩＰ電話により自動メッセージを送信してもよく、情報処理装置２のオペレータまたはコールセンター８等により手動で電話をかけてもよい。また、通知装置１と連動する携帯端末を通知装置１の携帯ユーザーが所持している場合、通知装置１のボタン１１を１回押すだけで、自身の携帯端末から家族のユーザー端末５に電話をかけることができる。これにより、通知装置１の携帯ユーザーが簡単に家族に何らかの通知をすることができる。
【００４１】
一方、図５のＳ４において、ボタン１１が所定時間内に２回押された場合（条件２）、情報処理装置２は、提携病院７に通知信号を送信することにより、提携病院７に電話する（動作２）。この電話は、例えば情報処理装置２がＩＰ電話により自動メッセージを送信してもよく、情報処理装置２のオペレータ又はコールセンター８等により手動で電話をかけてもよい。また、通知装置１と連動する携帯端末を通知装置１の携帯ユーザーが所持している場合、通知装置１のボタン１１を所定時間内に２回押すだけで、自身の携帯端末から提携病院７に電話をかけることができる。これにより、通知装置１の携帯ユーザーが簡単に提携病院７に何らかの通知をすることができる。
【００４２】
（２）Ｃａｌｌ_２
次に、通知装置１の生体データ取得部１４を利用する例について説明する。この例では、制御部２３は、生体データに応じて、動作を切り替え可能に構成される。図４のユーザーＩＤ０００２の例では、図５のＳ４において、生体データ取得部１４により取得された生体データが正常値である場合において、ボタン１１が所定時間内に１回押された場合（条件１）、情報処理装置２は、予め設定された家族が所持するユーザー端末５に電話する（動作１）。
【００４３】
一方、図５のＳ４において、生体データ取得部１４により取得された生体データが異常値である場合において、ボタン１１が所定時間内に１回押された場合（条件２）、情報処理装置２は、提携病院７に電話する（動作２）。
【００４４】
これにより、通知装置１の携帯ユーザーは、普段通りボタン１１を１回押すだけで、体調に影響を与える生体データに基づき、自動的に通知先を切り替えることができる。
【００４５】
なお、生体データが正常値であるか異常値であるかの判定は、例えば提携病院７の医師による診断に基づき、正常値といえる範囲を予め定めておくことにより実現される。具体的には、かかる範囲内であれば、生体データが正常値であると判断し、かかる範囲外であれば、生体データが異常値であると判断する。
【００４６】
（３）Ｗａｔｃｈｉｎｇ_１
次に、通知装置１の位置情報取得チップ１３及び情報処理装置２の位置情報取得部２２を利用する例について説明する。この例では、位置情報取得チップ１３により取得された位置情報を定期的に情報処理装置２に送信するものとする。また、制御部２３は、通信部２１が信号を受信した場合において、通知装置１の位置情報が予め定められた領域外を示すときは、予め定められたコールセンター８又は予め定められた端末に対して通知するための通知信号を生成可能に構成される。
【００４７】
図４のユーザーＩＤ０００３の例では、図５のＳ４において、通知装置１の位置情報が予め定められた範囲内に位置する場合（条件１）、情報処理装置２は、特定の動作を実行しない（動作１）。
【００４８】
一方、図５のＳ４において、通知装置１の位置情報が予め定められた範囲外に位置する場合（条件２）、情報処理装置２は、予め設定された家族が所持するユーザー端末５に通知するための通知信号を生成し、それによりユーザー端末５に通知する（動作２）。
【００４９】
これにより、例えば、通知装置１の携帯ユーザーが入院している提携病院７から所定範囲を予め定められた範囲として設定しておくことにより、通知装置１の携帯ユーザーが無意識の徘徊等で提携病院７から離れた場所まで移動した場合には、家族がその事実を素早く把握できるとともに、通知装置１の携帯ユーザーの位置情報を特定できるので、通知装置１の携帯ユーザーの捜索が容易になる。
【００５０】
なお、通知対象はユーザー端末５に限られず、提携病院７又はコールセンター８に通知するように構成することもできる。
【００５１】
（４）Ｗａｔｃｈｉｎｇ_２
次に、図４のユーザーＩＤ０００４の例について説明する。図５のＳ４において、所定時間内にボタン１１の押下がある場合（条件１）、情報処理装置２は、特定の動作を実行しない（動作１）。ここで、所定時間は任意に定めることができ、１，２，３，４，５，６時間等とすることができる。
【００５２】
一方、図５のＳ４において、所定時間内にボタン１１の押下がない場合（条件２）、予め設定された家族が所持するユーザー端末５に通知する（動作２）。
【００５３】
これにより、例えば所定時間を６時間に設定している場合には、通知装置１の携帯ユーザーが６時間に１回ボタン１１を押すことにより、自身の健康を家族に通知することができる。また、通知装置１の携帯ユーザーが６時間たってもボタン１１を押さない場合、通知装置１の携帯ユーザーの身に何らかの問題が生じた可能性があることを、家族が気づくことができる。
【００５４】
＜スケジュールデータ＞
なお、この例では、通知装置１の携帯ユーザーのスケジュールを予め登録しておき、スケジュールを考慮して通知をするようにしてもよい。この場合、情報処理装置２は、記憶部２６に図６に示すスケジュールデータを記憶する。そして、２時間以内にボタン１１が押されないと通知対象とするように設定している場合でも、月曜日の８：００−１０：００は病院、火曜日の１０：００−１２：００はゲートボール、木曜日の１４：００−１６：００は病院、金曜日の８：００−１０：００は散歩、土曜日の１４：００−１６：００は民謡の予定が入っているので、これらの時間帯では２時間以内にボタン１１が押されない場合でも、通知対象としないように制御することができる。これにより、不要な通知を低減することができる。
【００５５】
（５）Ｐｕｒｃｈａｓｅ
次に、図１の購入サーバ９と連動する例について説明する。この例では、制御部２３は、条件に応じて、情報処理装置２と通信可能に構成された購入サーバ９に対し、予め定められた商品を購入するための購入信号を送信可能に構成される。図４のユーザーＩＤ０００５の例では、図５のＳ４において、ボタン１１が所定時間内に１回押された場合（条件１）、情報処理装置２は、購入サーバ９に対し、予め定められた製品１の購入信号を送信する（動作１）。
【００５６】
一方、図５のＳ４において、ボタン１１が所定時間内に２回押された場合（条件２）、情報処理装置２は、購入サーバ９に対し、予め定められた製品２の購入信号を送信する（動作２）。
【００５７】
これにより、例えば、通知装置１をキッチンに設置し、ボタン１１を押す回数により、定期的に購入する製品を簡単に注文する事が可能になる。
【００５８】
（６）Ｈｏｍｅ
次に、図１のスマートデバイス６と連動する例について説明する。この例では、制御部２３は、条件に応じて、情報処理装置２と通信可能に構成されたスマートデバイス６に対し、スマートデバイス６の作動モードを切り替える切替信号を送信可能に構成される。図４のユーザーＩＤ０００６の例では、図５のＳ４において、ボタン１１が所定時間内に１回押された場合（条件１）、情報処理装置２は、スマートデバイス６の作動モードを外出モードに切り替える切替信号をスマートデバイス６に送信する。（動作１）。これにより、スマートデバイス６の作動モードが切り替わる。具体的には、スマートデバイス６の電源をＯＦＦにするとともに、セキュリティシステムをＯＮにする。
【００５９】
一方、図５のＳ４において、ボタン１１が所定時間内に２回押された場合（条件２）、情報処理装置２は、スマートデバイス６の作動モードを在宅モードに切り替える（動作２）。具体的には、スマートデバイス６の電源をＯＮにするとともに、セキュリティシステムをＯＦＦにする。
【００６０】
これにより、例えば、通知装置１を玄関に設置し、ボタン１１を押す回数により、スマートデバイス６の作動モードを簡単に切り替えることが可能になる。
【００６１】
４．その他
本発明に係るボタン１１の提供者は、ボタン１１の押下に応じて外部に信号を送信可能に構成される通信チップ１２を搭載した状態のボタン１１を他者に販売し、Ｃａｌｌ，Ｗａｔｃｈｉｎｇ，Ｐｕｒｃｈａｓｅ，Ｈｏｍｅ等の機能についてはボタン１１を購入した他者が情報処理装置２上に実装するようにしてもよい。これにより、必要最低限の機能（通信機能）を備えるボタン１１に対し、サードパーティーが各々機能を実装することができる。
【００６２】
また、本発明に係るシステム１００は、以下の態様でも実施可能である。
・Ｃａｌｌ，Ｗａｔｃｈｉｎｇ，Ｐｕｒｃｈａｓｅ，Ｈｏｍｅで設定される条件について、それぞれ生体データ取得部１４により取得された生体データ、位置情報取得チップ１３又は位置情報取得部２２により取得された位置情報を組み合わせてもよい。例えば、生体データが異常値である場合、ボタン１１を１回押した場合、サプリメントを購入するための購入信号を情報処理装置２が購入サーバ９に送信してもよい。また、位置情報により特定される位置が、家であるか職場であるかに応じて、異なる購入信号を情報処理装置２が購入サーバ９に送信してもよい。
【００６３】
また、本発明は、以下の態様でも実現可能である。
コンピュータを、通信部及び位置情報取得部として機能させるプログラムであって、
前記通信部は、通知装置に設けられたボタンの押下に応じて外部に送信された信号を受信可能に構成され、
前記位置情報取得部は、前記信号に基づいて、前記通知装置の位置情報を取得可能に構成される、
プログラム。
【００６４】
また、上述のプログラムを格納する、コンピュータ読み取り可能な非一時的な記録媒体として提供してもよい。
【符号の説明】
【００６５】
１        ：通知装置
２        ：情報処理装置
３        ：基地局
４        ：サーバ
５        ：ユーザー端末
６        ：スマートデバイス
７        ：提携病院
８        ：コールセンター
９        ：購入サーバ
１１      ：ボタン
１２      ：通信チップ
１３      ：位置情報取得チップ
１４      ：生体データ取得部
１５      ：制御部
１６      ：ライト
１７      ：孔
１８      ：取付部
２１      ：通信部
２２      ：位置情報取得部
２３      ：制御部
２４      ：データ生成部
２５      ：データ更新部
２６      ：記憶部
１００    ：システム
【図１】
2019204429.tif 000003
【図２】
2019204429.tif 000004
【図３】
2019204429.tif 000005
【図４】
2019204429.tif 000006
【図５】
2019204429.tif 000007
【図６】
2019204429.tif 000008